(57)【要約】【課題】ハウジングの強度の向上を図ること。【解決手段】取付金具２は、コネクタのハウジングに取り付けられる取付部材２０を備える。ハウジングは、底壁と、底壁の周囲を囲む周壁とを有する。周壁は、一対の第１側壁と、一対の第２側壁とで構成される。一対の第１側壁は、それぞれ複数のコンタクトを配列方向に並んだ状態で保持する。一対の第２側壁は、それぞれ一対の第１側壁の端部同士を連結する。取付部材２０は、第１取付部２１と、第２取付部２２とを有する。第１取付部２１は、第１側壁における複数のコンタクトが配列されていない部位の少なくとも一部を覆う。第２取付部２２は、第１取付部２１と分離しており、第２側壁の少なくとも一部を覆う。【選択図】図１
2018107047.tif 000002
【特許請求の範囲】
【請求項１】
コネクタのハウジングに取り付けられる取付部材を備え、
前記ハウジングは、
底壁と、
前記底壁の周囲を囲む周壁とを有し、
前記周壁は、
それぞれ複数のコンタクトを配列方向に並んだ状態で保持する一対の第１側壁と、
それぞれ前記一対の第１側壁の端部同士を連結する一対の第２側壁とで構成され、
前記取付部材は、
前記一対の第１側壁のうち一方の第１側壁における前記複数のコンタクトが配列されていない部位の少なくとも一部を覆う第１取付部と、
前記第１取付部と分離しており、前記一対の第２側壁のうち少なくとも一方の第２側壁の少なくとも一部を覆う第２取付部とを有することを特徴とする取付金具。
【請求項２】
前記第１取付部及び前記第２取付部の少なくとも一方は、基板に接合される接合部を更に有することを特徴とする請求項１記載の取付金具。
【請求項３】
前記第２取付部は、前記接合部を有しており、
前記配列方向と交差する方向において、前記接合部の幅寸法は、前記第２取付部のうち前記接合部を除いた部位の幅寸法よりも小さいことを特徴とする請求項２記載の取付金具。
【請求項４】
前記接合部は、前記配列方向に沿って前記周壁から突出することを特徴とする請求項２又は３に記載の取付金具。
【請求項５】
前記第１取付部及び前記第２取付部の少なくとも一方は、
前記周壁の厚さ方向に沿って前記周壁を挟む一対の保持片と、
前記一対の保持片の端部同士を連結する連結片とを有することを特徴とする請求項１乃至４のいずれか１項に記載の取付金具。
【請求項６】
前記第１取付部及び前記第２取付部の少なくとも一方は、前記取付部材が前記ハウジングに取り付けられた状態で前記連結片と前記ハウジングとの間に隙間を形成する空隙部を有することを特徴とする請求項５記載の取付金具。
【請求項７】
前記連結片は、前記一対の保持片のうち外側の保持片から内側の保持片に向かって前記底壁に近づくように、前記底壁に対して傾斜する傾斜部を有することを特徴とする請求項５又は６に記載の取付金具。
【請求項８】
前記第１取付部における前記一対の保持片の少なくとも一方は、前記配列方向に延長された延長片を有することを特徴とする請求項５乃至７のいずれか１項に記載の取付金具。
【請求項９】
前記延長片と連結しており、前記底壁に沿って延長された底片を更に有することを特徴とする請求項８記載の取付金具。
【請求項１０】
前記第１取付部は、基板に接合される接合部を更に有し、
前記底片は、前記延長片と前記接合部とを連結しており、
前記底片のうち前記延長片及び前記接合部と連結されている部位以外の部位には、テーパが設けられていることを特徴とする請求項９記載の取付金具。
【請求項１１】
前記一対の保持片の少なくとも一方は、前記複数のコンタクトが基板に接合された状態で、少なくとも前記連結片の弾性変形時に前記基板に接するように構成されていることを特徴とする請求項５乃至９のいずれか１項に記載の取付金具。
【請求項１２】
前記第１取付部及び前記第２取付部の少なくとも一方における、前記一対の保持片の少なくとも一方の前記底壁側の端部は、前記複数のコンタクトが基板に接合された状態で前記基板に接合される接合面を有することを特徴とする請求項５乃至１１のいずれか１項に記載の取付金具。
【請求項１３】
前記第２取付部の前記一対の保持片の少なくとも一方の前記底壁側の端部は、前記接合面を有しており、
前記第２取付部では、前記一対の保持片が並ぶ方向と交差する方向における、前記底壁側の端部の幅寸法は、前記一対の保持片のうち前記底壁側の端部を除いた部位の幅寸法よりも小さいことを特徴とする請求項１２記載の取付金具。
【請求項１４】
請求項１乃至１３のいずれか１項に記載の取付金具と、
前記取付金具が取り付けられる前記ハウジングと、
前記一対の第１側壁の各々に保持される前記複数のコンタクトとを備えることを特徴とするコネクタ。
【請求項１５】
前記配列方向において前記複数のコンタクトと並ぶように前記ハウジングに保持され、電源と電気的に接続される電源端子を更に有し、
前記電源端子は、前記第１取付部、前記電源端子、前記複数のコンタクトの順に並ぶように前記ハウジングに保持されていることを特徴とする請求項１４記載のコネクタ。
【請求項１６】
前記複数のコンタクトは、前記電源端子を２つ含んでおり、
前記２つの電源端子は、平面視で前記ハウジングの中心に対して点対称となるように前記ハウジングに保持されていることを特徴とする請求項１５記載のコネクタ。
【請求項１７】
前記配列方向から見て、前記電源端子の断面は、前記複数のコンタクトの各々の断面と同一であることを特徴とする請求項１５又は１６に記載のコネクタ。
【請求項１８】
前記複数のコンタクトは、他コネクタの有する複数の他コネクタ側コンタクトに電気的に接続されるように構成され、
前記他コネクタは、
他コネクタ側ハウジングと、
前記他コネクタ側ハウジングに保持されて前記電源端子に電気的に接続される他コネクタ側電源端子と、
前記他コネクタ側電源端子と一体に構成され、前記他コネクタ側ハウジングに取り付けられる他コネクタ側取付金具とを備え、
前記取付金具は、前記複数のコンタクトが前記複数の他コネクタ側コンタクトに電気的に接続された状態で、前記他コネクタ側取付金具に接触するように前記ハウジングに取り付けられ、
前記電源端子は、前記複数のコンタクトが前記複数の他コネクタ側コンタクトに電気的に接続された状態で、前記他コネクタ側電源端子に接触するように前記ハウジングに保持されることを特徴とする請求項１５乃至１７のいずれか１項に記載のコネクタ。
【請求項１９】
前記ハウジングは、前記取付金具をインサート品としてインサート成形されていることを特徴とする請求項１４乃至１８のいずれか１項に記載のコネクタ。
【請求項２０】
請求項１４乃至請求項１９のいずれか１項に記載のコネクタと、
前記複数のコンタクトに電気的に接続される複数の他コネクタ側コンタクトを有する他コネクタとを備えることを特徴とする接続装置。
【発明の詳細な説明】
【技術分野】
【０００１】
本発明は、一般に取付金具、コネクタ、及び接続装置に関し、より詳細には、コネクタのハウジングに取り付けられる取付金具、コネクタ、及び接続装置に関する。
【背景技術】
【０００２】
従来、コネクタのハウジングに取り付けられる取付金具が知られており、例えば特許文献１に開示されている。特許文献１に記載のガイド金具（取付金具）が取り付けられた電気コネクタ（コネクタ）では、ハウジングは、底壁と、一対の側壁及び一対の端壁で形成される周壁とを有している。一対の側壁は、ハウジングの長手方向に延びている。一対の端壁は、一対の側壁の長手方向の端部同士を連結する。ガイド金具は、それぞれ一対の側壁の端部側に取り付けられる一対の被取付部と、一対の被取付部同士を連結する連結部とを有している。
【先行技術文献】
【特許文献】
【０００３】
【特許文献１】特許第５８０９１９８号
【発明の概要】
【発明が解決しようとする課題】
【０００４】
上記従来例のようなコネクタでは、ハウジングに取り付けられる取付金具により、ハウジングの強度の向上を図ることが望まれている。
【０００５】
本発明は、上記の点に鑑みてなされており、ハウジングの強度の向上を図ることのできる取付金具、コネクタ、及び接続装置を提供することを目的とする。
【課題を解決するための手段】
【０００６】
本発明の第１の態様の取付金具は、コネクタのハウジングに取り付けられる取付部材を備える。前記ハウジングは、底壁と、前記底壁の周囲を囲む周壁とを有する。前記周壁は、一対の第１側壁と、一対の第２側壁とで構成される。前記一対の第１側壁は、それぞれ複数のコンタクトを配列方向に並んだ状態で保持する。前記一対の第２側壁は、それぞれ前記一対の第１側壁の端部同士を連結する。前記取付部材は、第１取付部と、第２取付部とを有する。前記第１取付部は、前記一対の第１側壁のうち一方の第１側壁における前記複数のコンタクトが配列されていない部位の少なくとも一部を覆う。前記第２取付部は、前記第１取付部と分離しており、前記一対の第２側壁のうち少なくとも一方の第２側壁の少なくとも一部を覆う。
【０００７】
本発明の第２の態様の取付金具では、第１の態様において、前記第１取付部及び前記第２取付部の少なくとも一方は、基板に接合される接合部を更に有する。
【０００８】
本発明の第３の態様の取付金具では、第２の態様において、前記第２取付部は、前記接合部を有している。前記配列方向と交差する方向において、前記接合部の幅寸法は、前記第２取付部のうち前記接合部を除いた部位の幅寸法よりも小さい。
【０００９】
本発明の第４の態様の取付金具では、第２又は第３の態様において、前記接合部は、前記配列方向に沿って前記周壁から突出する。
【００１０】
本発明の第５の態様の取付金具では、第１〜第４のいずれかの態様において、前記第１取付部及び前記第２取付部の少なくとも一方は、一対の保持片と、連結片とを有する。前記一対の保持片は、前記周壁の厚さ方向に沿って前記周壁を挟む。前記連結片は、前記一対の保持片の端部同士を連結する。
【００１１】
本発明の第６の態様の取付金具では、第５の態様において、前記第１取付部及び前記第２取付部の少なくとも一方は、空隙部を有する。前記空隙部は、前記取付部材が前記ハウジングに取り付けられた状態で前記連結片と前記ハウジングとの間に隙間を形成する。
【００１２】
本発明の第７の態様の取付金具では、第５又は第６の態様において、前記連結片は、傾斜部を有する。前記傾斜部は、前記一対の保持片のうち外側の保持片から内側の保持片に向かって前記底壁に近づくように、前記底壁に対して傾斜する。
【００１３】
本発明の第８の態様の取付金具では、第５〜第７のいずれかの態様において、前記第１取付部における前記一対の保持片の少なくとも一方は、前記配列方向に延長された延長片を有する。
【００１４】
本発明の第９の態様の取付金具は、第８の態様において、底片を更に有する。前記底片は、前記延長片と連結しており、前記底壁に沿って延長されている。
【００１５】
本発明の第１０の態様の取付金具では、第９の態様において、前記第１取付部は、基板に接合される接合部を更に有する。前記底片は、前記延長片と前記接合部とを連結している。前記底片のうち前記延長片及び前記接合部と連結されている部位以外の部位には、テーパが設けられている。
【００１６】
本発明の第１１の態様の取付金具では、第５〜第９のいずれかの態様において、前記一対の保持片の少なくとも一方は、前記複数のコンタクトが基板に接合された状態で、少なくとも前記連結片の弾性変形時に前記基板に接するように構成されている。
【００１７】
本発明の第１２の態様の取付金具では、第５〜第１１のいずれかの態様において、前記第１取付部及び前記第２取付部の少なくとも一方における、前記一対の保持片の少なくとも一方の前記底壁側の端部は、接合面を有する。前記接合面は、前記複数のコンタクトが基板に接合された状態で前記基板に接合される。
【００１８】
本発明の第１３の態様の取付金具では、第１２の態様において、前記第２取付部の前記一対の保持片の少なくとも一方の前記底壁側の端部は、前記接合面を有している。前記第２取付部では、前記一対の保持片が並ぶ方向と交差する方向における、前記底壁側の端部の幅寸法は、前記一対の保持片のうち前記底壁側の端部を除いた部位の幅寸法よりも小さい。
【００１９】
本発明の第１４の態様のコネクタは、第１〜第１３のいずれかの態様の取付金具と、前記取付金具が取り付けられる前記ハウジングと、前記一対の第１側壁の各々に保持される前記複数のコンタクトとを備える。
【００２０】
本発明の第１５の態様のコネクタは、第１４の態様において、電源端子を更に有する。前記電源端子は、前記配列方向において前記複数のコンタクトと並ぶように前記ハウジングに保持され、電源と電気的に接続される。前記電源端子は、前記第１取付部、前記電源端子、前記複数のコンタクトの順に並ぶように前記ハウジングに保持されている。
【００２１】
本発明の第１６の態様のコネクタでは、第１５の態様において、前記複数のコンタクトは、前記電源端子を２つ含んでいる。前記２つの電源端子は、平面視で前記ハウジングの中心に対して点対称となるように前記ハウジングに保持されている。
【００２２】
本発明の第１７の態様のコネクタでは、第１５又は第１６の態様において、前記配列方向から見て、前記電源端子の断面は、前記複数のコンタクトの各々の断面と同一である。
【００２３】
本発明の第１８の態様のコネクタでは、第１５〜第１７のいずれかの態様において、前記複数のコンタクトは、他コネクタの有する複数の他コネクタ側コンタクトに電気的に接続されるように構成されている。前記他コネクタは、他コネクタ側ハウジングと、他コネクタ側電源端子と、他コネクタ側取付金具とを備える。前記他コネクタ側電源端子は、前記他コネクタ側ハウジングに保持されて前記電源端子に電気的に接続される。前記他コネクタ側取付金具は、前記他コネクタ側電源端子と一体に構成され、前記他コネクタ側ハウジングに取り付けられる。前記取付金具は、前記複数のコンタクトが前記複数の他コネクタ側コンタクトに電気的に接続された状態で、前記他コネクタ側取付金具に接触するように前記ハウジングに取り付けられる。前記電源端子は、前記複数のコンタクトが前記複数の他コネクタ側コンタクトに電気的に接続された状態で、前記他コネクタ側電源端子に接触するように前記ハウジングに保持される。
【００２４】
本発明の第１９の態様のコネクタでは、第１４〜第１８のいずれかの態様において、前記ハウジングは、前記取付金具をインサート品としてインサート成形されている。
【００２５】
本発明の第２０の態様の接続装置は、第１４〜第１９のいずれかの態様のコネクタと、他コネクタとを備える。前記他コネクタは、前記複数のコンタクトに電気的に接続される複数の他コネクタ側コンタクトを有する。
【発明の効果】
【００２６】
本発明は、ハウジングの強度の向上を図ることができる。
【図面の簡単な説明】
【００２７】
【図１】図１Ａ、図１Ｂは、それぞれ本発明の一実施形態に係る取付金具の斜視図である。
【図２】図２Ａは、同上の取付金具の前面図である。図２Ｂは、同上の取付金具の右側面図である。
【図３】図３は、本発明の一実施形態に係るコネクタの斜視図である。
【図４】図４は、同上のコネクタの前後を反転させた状態の斜視図である。
【図５】図５は、同上のコネクタの前面図である。
【図６】図６は、同上のコネクタの後面図である。
【図７】図７は、本発明の一実施形態に係る接続装置においてコネクタに他コネクタが接続される前の状態を示す断面図である。
【図８】図８は、同上の接続装置においてコネクタに他コネクタが接続された状態を示す断面図である。
【図９】図９は、同上の接続装置における他コネクタの斜視図である。
【図１０】図１０は、同上の接続装置における他コネクタの前後を反転させた状態の斜視図である。
【図１１】図１１は、同上の接続装置における他コネクタの前面図である。
【図１２】図１２は、同上の接続装置における他コネクタの後面図である。
【図１３】図１３Ａ、図１３Ｂは、それぞれ同上の接続装置における他コネクタ側取付金具及び他コネクタ側電源端子の斜視図である。
【図１４】図１４Ａは、同上の接続装置において、電源端子及び他コネクタ側電源端子を通る平面で切断した断面図である。図１４Ｂは、同上の接続装置において、取付金具及び他コネクタ側取付金具を通る平面で切断した一部省略した断面図である。
【発明を実施するための形態】
【００２８】
（１）概要
以下、実施形態の取付金具２、コネクタ１０１について図１Ａ〜図６を用いて説明する。本実施形態のコネクタ１０１は、例えばプリント配線板やフレキシブルプリント配線板などの基板に取り付けられる。コネクタ１０１は、例えばスマートフォン等の携帯端末に搭載されている複数の基板の間を電気的に接続するために用いられる。もちろん、コネクタ１０１の用途を限定する趣旨ではなく、コネクタ１０１は、例えばカメラモジュール等の携帯端末以外の電子機器に用いられてもよい。また、コネクタ１０１は、複数の基板の間を電気的に接続する用途に限られず、例えば基板とディスプレイとの間や、基板とバッテリとの間など、複数の部品の間を電気的に接続する用途であればよい。
【００２９】
コネクタ１０１は、図３〜図６に示すように、ハウジング１と、ハウジング１に取り付けられる取付金具２とを備えている。ハウジング１は、底壁１１と、底壁１１の周囲を囲む周壁１２とを有している。周壁１２は、一対の第１側壁１２１と、一対の第２側壁１２２とで構成されている。一対の第１側壁１２１の各々は、複数のコンタクト３を配列方向に並んだ状態で保持する。一対の第２側壁１２２の各々は、一対の第１側壁１２１の端部同士を連結する。ハウジング１の厚さ方向の寸法は、例えば数ｍｍ以下である。また、ハウジング１の長手方向の寸法は、例えば十数ｍｍである。また、ハウジング１の短手方向の寸法は、例えば数ｍｍである。更に、複数のコンタクト３の並ぶ間隔、つまりピッチは、例えばコンマ数ｍｍである。本実施形態では、複数のコンタクト３は等ピッチで並んでいるが、不揃いのピッチで並んでいてもよい。
【００３０】
取付金具２は、図１Ａ〜図２Ｂに示すように、ハウジング１に取り付けられる取付部材２０を備えている。取付部材２０は、第１取付部２１と、第２取付部２２とを有している。第１取付部２１は、一対の第１側壁１２１のうち一方の第１側壁１２１における複数のコンタクト３が配列されていない部位の少なくとも一部を覆う。第２取付部２２は、第１取付部２１と分離しており、一対の第２側壁１２２のうち少なくとも一方の第２側壁１２２の少なくとも一部を覆う。
【００３１】
つまり、本実施形態の取付金具２では、第１取付部２１と第２取付部２２とが分離しているため、仮に第１取付部２１及び第２取付部２２の一方に応力が加わった場合、他方に応力が伝わり難い。このため、本実施形態の取付金具２は、第１取付部２１と第２取付部２２とが一体に構成されている場合と比較して変形し難く、その結果、ハウジング１が応力を受ける部位を小さくすることができ、結果としてハウジング１の強度を向上することができる。
【００３２】
（２）詳細
以下、本実施形態のコネクタ１０１の構成について詳細に説明する。取付金具２については、「（３）取付金具」にて詳細に説明する。以下では、ハウジング１の厚さ方向を前後方向、ハウジング１の短手方向を上下方向、ハウジング１の長手方向を左右方向として説明する。なお、図１Ａ〜図１４Ｂには、これらの方向（上、下、左、右、前、後）を表す矢印を示すが、これらの矢印は、単に説明を補助する目的で記載しているに過ぎず、実体を伴わない。また、上記の方向の規定は、本実施形態のコネクタ１０１の使用形態を限定する趣旨ではない。
【００３３】
本実施形態のコネクタ１０１は、ソケット（メスコネクタ）であって、図３〜図８に示すように、ハウジング１と、一対の取付金具２と、複数（ここでは、３４本）のコンタクト３と、一対の電源端子４とを備えている。一対の取付金具２は、それぞれハウジング１の長手方向（左右方向）の両端部に取り付けられている。また、一対の取付金具２の各々は、２つの第１取付部２１と、１つの第２取付部２２とを有する取付部材２０を備えている。
【００３４】
ハウジング１は、図３〜図６に示すように、絶縁性を有する樹脂材料により、左右方向に長い扁平な直方体状に形成されている。本実施形態では、ハウジング１は、一対の取付金具２をインサート品としてインサート成形されている。ハウジング１は、底壁１１と、周壁１２と、台部１３とを有している。底壁１１は、左右方向に長い板状であって、ハウジング１の底部を構成する。
【００３５】
周壁１２は、底壁１１の周縁から前向きに突出しており、平面視で矩形枠状に形成されている。つまり、周壁１２は、底壁１１の周囲を囲むように構成されている。より具体的には、周壁１２は、一対の第１側壁１２１と、一対の第２側壁１２２とで構成されている。一対の第１側壁１２１は、周壁１２のうちハウジング１の長手方向に沿った一対の壁である。一対の第１側壁１２１の各々には、後述する複数の収納部１５にそれぞれ複数のコンタクト３及び電源端子４が収納されることにより、複数のコンタクト３及び電源端子４が一方向（左右方向）に並んだ状態で保持される。つまり、一対の第１側壁１２１の各々は、複数のコンタクト３を配列方向（左右方向）に並んだ状態で保持する。本実施形態では、一対の第１側壁１２１は、それぞれ１７本のコンタクト３を保持している。また、一対の第１側壁１２１は、それぞれ１つの電源端子４を保持している。
【００３６】
一対の第１側壁１２１の各々において、長手方向（左右方向）の両端部の各々には、取付金具２の第１取付部２１が取り付けられている。また、一対の第２側壁１２２の各々には、取付金具２の第２取付部２２が取り付けられている。つまり、ハウジング１の長手方向（左右方向）の一端（左端）側にある２つの第１取付部２１と１つの第２取付部２２とで、１つの取付金具２の取付部材２０を構成している。同様に、ハウジング１の長手方向の他端（右端）側にある２つの第１取付部２１と１つの第２取付部２２とで、１つの取付金具２の取付部材２０を構成している。
【００３７】
台部１３は、左右方向に長い直方体状であって、底壁１１の中央から前向きに突出している。底壁１１、周壁１２、及び台部１３で囲まれた部位は、他コネクタ１０２が嵌合する嵌合凹部１４を構成している。具体的には、嵌合凹部１４には、他コネクタ１０２の一対の第１側壁１２１Ａ（後述する）と、他コネクタ１０２の一対の第２側壁１２２Ａ（後述する）とが嵌合する。これにより、コネクタ１０１に他コネクタ１０２が接続される。
【００３８】
台部１３の長手方向（左右方向）の両端部の各々において、嵌合凹部１４に臨む面は、ハウジング１の厚さ方向（前後方向）に沿って底壁１１から起立する起立面１３１となっている。また、台部１３の長手方向の両端部の各々において、ハウジング１の厚さ方向における底壁１１と反対側（前側）の角には、ハウジング１の短手方向（上下方向）にわたって面取りされることで、傾斜面１３２が形成されている。このため、本実施形態では、傾斜面１３２により、他コネクタ１０２の取付金具２Ａ（後述する）を嵌合凹部１４に案内することができる。また、本実施形態では、起立面１３１により、コネクタ１０１に他コネクタ１０２を接続した状態での取付金具２Ａの移動（ハウジング１の長手方向に沿った移動）を規制することができる。したがって、本実施形態では、コネクタ１０１と他コネクタ１０２との接続強度を向上することができる。
【００３９】
ハウジング１には、複数のコンタクト３及び一対の電源端子４と１対１に対応する複数（ここでは、３６個）の収納部１５が形成されている。複数の収納部１５は、それぞれ底壁１１を厚さ方向（前後方向）に貫通するように形成されている。複数のコンタクト３及び一対の電源端子４の各々は、後方から収納部１５に押し込まれることにより、収納部１５に収納されている。
【００４０】
複数の収納部１５は、台部１３を挟んだ上下両側に二等分されて設けられている。台部１３の上下両側にある複数の収納部１５は、いずれもハウジング１の長手方向（左右方向）に沿ってほぼ等間隔に並んで設けられている。ここで、一対の電源端子４のうち一方の電源端子４は、台部１３の下側にある複数の収納部１５のうち最も左側にある収納部１５に収納されている。また、一対の電源端子４のうち他方の電源端子４は、台部１３の上側にある複数の収納部１５のうち最も右側にある収納部１５に収納されている。
【００４１】
このため、本実施形態では、一対の電源端子４は、いずれも第１取付部２１、電源端子４、複数のコンタクト３の順に並ぶようにハウジング１に保持されている。言い換えれば、本実施形態では、取付金具２は、電源端子４との間の距離が、複数のコンタクト３のうち最も近い位置にあるコンタクト３との間の距離以下となるようにハウジング１に取り付けられている。更に、本実施形態では、一対の電源端子４（つまり、２つの電源端子４）は、前方から見て（つまり、平面視で）ハウジング１の中心に対して点対称となるようにハウジング１に保持されている（図５参照）。
【００４２】
コンタクト３は、信号伝送用の端子である。また、電源端子４は、電源と電気的に接続される端子である。コンタクト３及び電源端子４は、いずれも帯状の金属板を折り曲げることにより形成されている。また、コンタクト３には、金めっきが施されている。コンタクト３は、図７、図８に示すように、ばね片３１と、立ち上がり片３２と、立ち下がり片３３と、端子片３４とを有しており、これらを一体に形成して構成されている。電源端子４も、コンタクト３と同様に、ばね片３１と、立ち上がり片３２と、立ち下がり片３３と、端子片３４とで構成されている。
【００４３】
ばね片３１は、先端が馬蹄形に湾曲しており、ハウジング１の短手方向（上下方向）に撓むように構成されている。また、ばね片３１は、嵌合凹部１４に他コネクタ１０２のコンタクト３Ａが挿入された状態で、コンタクト３Ａに押されることで、コンタクト３Ａに向かう向きの弾性力を発生するように構成されている。
【００４４】
立ち上がり片３２は、ハウジング１の厚さ方向（前後方向）に長い板状に形成されている。立ち上がり片３２の第１端（後端）は、ばね片３１と一体に形成されている。立ち上がり片３２は、嵌合凹部１４に他コネクタ１０２のコンタクト３Ａが挿入された状態で、コンタクト３Ａと接触するように構成されている。
【００４５】
また、立ち上がり片３２には、ばね片３１に向かって突出する突起３２１が一体に形成されている。嵌合凹部１４に他コネクタ１０２のコンタクト３Ａが挿入された状態において、突起３２１は、コンタクト３Ａの突起３６１（後述する）と前後方向に並び、かつ、コンタクト３Ａの突起３６１よりも前方に位置する。このため、所定以上の力をもって他コネクタ１０２を嵌合凹部１４から引き抜こうとしない限り、コンタクト３Ａの突起３６１がコンタクト３の突起３２１に引っ掛かることにより、コネクタ１０１と他コネクタ１０２との接続状態が解除されない。つまり、コンタクト３の突起３２１及びコンタクト３Ａの突起３６１は、所定以上の力を加えることによりコネクタ１０１と他コネクタ１０２との接続状態を解除可能なロック機構を構成している。
【００４６】
立ち下がり片３３は、ハウジング１の厚さ方向（前後方向）に長い板状に形成されている。立ち下がり片３３の第１端（前端）は、逆Ｕ字状に湾曲しており、立ち上がり片３２の第２端（前端）と一体に形成されている。
【００４７】
端子片３４は、ハウジング１の短手方向（上下方向）に長い板状に形成されている。端子片３４は、立ち下がり片３３の第２端（後端）と一体に形成されている。また、端子片３４の先端は、ハウジング１の厚さ方向の一端側（後側）において、ハウジング１から露出している。端子片３４の一面（後面）は、例えば半田付けにより基板に接合される接合面となる。
【００４８】
このように、本実施形態では、コンタクト３及び電源端子４は、いずれも、ばね片３１、立ち上がり片３２、立ち下がり片３３、及び端子片３４を有している。そして、本実施形態では、ハウジング１の長手方向（左右方向）から見て、コンタクト３の断面の形状は、電源端子４の断面の形状と同一である。言い換えれば、配列方向（左右方向）から見て、電源端子４の断面は、複数のコンタクト３の各々の断面と同一である。ここでいう「同一」は、「ほぼ同一」を含む表現である。したがって、製造上の誤差又はバラツキによりコンタクト３及び電源端子４の各々の断面の形状が互いに僅かに異なるのは、許容範囲内の誤差である。
【００４９】
ここで、既に述べたように、コンタクト３は信号伝送用の端子であり、電源端子４は電源用の端子である。このため、電源端子４には、コンタクト３に流れる電流と比較して大きな電流が流れる。そこで、本実施形態では、電源端子４の幅寸法（ハウジング１の長手方向（左右方向）の寸法）をコンタクト３の幅寸法よりも大きくすることで、電源端子４のインピーダンスをコンタクト３のインピーダンスよりも小さくしている。
【００５０】
複数のコンタクト３及び一対の電源端子４の各々は、収納部１５に収納された状態で、一部が嵌合凹部１４に露出している。具体的には、コンタクト３及び電源端子４の各々のばね片３１の一部が、台部１３の内側から嵌合凹部１４に露出している。また、コンタクト３及び電源端子４の各々の立ち上がり片３２の一部が、第１側壁１２１の内側から嵌合凹部１４に露出している。
【００５１】
したがって、コネクタ１０１に他コネクタ１０２を接続すると、複数のコンタクト３の各々の嵌合凹部１４に露出した部位が、他コネクタ１０２の複数のコンタクト３Ａの各々と接触する。これにより、コネクタ１０１の複数のコンタクト３が、それぞれ他コネクタ１０２の複数のコンタクト３Ａと電気的に接続される。また、一対の電源端子４の各々の嵌合凹部１４に露出した部位が、他コネクタ１０２の一対の電源端子４Ａ（後述する）の各々と接触する。これにより、コネクタ１０１の一対の電源端子４が、それぞれ他コネクタ１０２の一対の電源端子４Ａと電気的に接続される。
【００５２】
上述のように構成されたコネクタ１０１は、例えばスマートフォン等の電子機器に内蔵された基板（以下、「第１基板」という）に実装される。また、コネクタ１０１に対応する他コネクタ１０２（後述する）は、同じく電子機器に内蔵された他の基板（以下、「第２基板」という）に実装される。
【００５３】
そして、図７、図８に示すように、コネクタ１０１が他コネクタ１０２に接続されることにより、第１基板に配線された第１導体と、第２基板に配線された第２導体との間が電気的に接続される。具体的には、コネクタ１０１の複数のコンタクト３が、他コネクタ１０２の複数のコンタクト３Ａに電気的に接続されることで、コネクタ１０１が他コネクタ１０２に接続される。つまり、本実施形態では、コネクタ１０１と、他コネクタ１０２とで、接続装置１００が構成されている。言い換えれば、接続装置１００は、コネクタ１０１と、他コネクタ１０２とを備えている。
【００５４】
以下、本実施形態のコネクタ１０１に対応する他コネクタ１０２について図７〜図１３Ｂを用いて説明する。なお、図７、図８においては、他コネクタ１０２は、前後を反転させた状態で図示されている。したがって、以下では、図９〜図１３Ｂにて規定する方向に基づいて他コネクタ１０２について説明する。
【００５５】
本実施形態では、他コネクタ１０２は、ヘッダ（オスコネクタ）であって、他コネクタ側ハウジング１Ａと、他コネクタ側取付金具２Ａと、複数（ここでは、３４本）の他コネクタ側コンタクト３Ａと、一対の他コネクタ側電源端子４Ａとを備える。以下の説明では、原則、他コネクタ側ハウジング１Ａ及び他コネクタ側取付金具２Ａを、それぞれ単に「ハウジング１Ａ」及び「取付金具２Ａ」という。また、以下の説明では、原則、他コネクタ側コンタクト３Ａ及び他コネクタ側電源端子４Ａを、それぞれ単に「コンタクト３Ａ」及び「電源端子４Ａ」という。
【００５６】
ハウジング１Ａは、絶縁性を有する樹脂材料により、左右方向に長い扁平な直方体状に形成されている。ハウジング１Ａは、底壁１１Ａと、周壁１２Ａとを有している。周壁１２Ａは、底壁１１Ａの周縁から前向きに突出しており、平面視で矩形枠状に形成されている。つまり、周壁１２Ａは、底壁１１Ａの周囲を囲むように構成されている。より具体的には、周壁１２Ａは、一対の第１側壁１２１Ａと、一対の第２側壁１２２Ａとで構成されている。一対の第１側壁１２１Ａは、周壁１２Ａのうちハウジング１Ａの長手方向に沿った一対の壁である。底壁１１Ａ及び周壁１２Ａで囲まれた部位は、コネクタ１０１が嵌合する嵌合凹部１４Ａを構成している。具体的には、嵌合凹部１４Ａには、コネクタ１０１の台部１３が嵌合する。
【００５７】
ハウジング１Ａは、複数のコンタクト３Ａ及び一対の取付金具２Ａをインサート品として、インサート成形により形成されている。言い換えれば、一対の取付金具２Ａは、ハウジング１Ａに取り付けられている。複数のコンタクト３Ａ及び一対の電源端子４Ａのうちの半分は、上側の第１側壁１２１Ａに一体に設けられている。また、複数のコンタクト３Ａ及び一対の電源端子４Ａのうちの残り半分は、下側の第１側壁１２１Ａに一体に設けられている。つまり、ハウジング１Ａは、複数のコンタクト３Ａ及び一対の電源端子４を配列方向（左右方向）に並んだ状態で保持している。言い換えれば、一対の電源端子４Ａは、ハウジング１Ａに保持されている。
【００５８】
取付金具２Ａは、例えば銅合金などの金属材料により形成されており、図１３Ａ、図１３Ｂに示すように、主片５０と、一対の第１側片５１と、１つの第２側片５２とを有している。なお、ここでは、一対の取付金具２Ａのうち、ハウジング１Ａの一端（左端）に取り付けられる取付金具２Ａを例として説明するが、ハウジング１Ａの他端（右端）に取り付けられる取付金具２Ａも同様の構成である。
【００５９】
主片５０は、ハウジング１Ａの短手方向（上下方向）に長い板状に形成されている。一対の第１側片５１は、いずれもハウジング１Ａの厚さ方向（前後方向）に長い板状に形成されている。一対の第１側片５１のうち一方（下方）の第１側片５１は、主片５０の長手方向の一端（下端）と一体に形成されており、その連結部位は湾曲している。また、一対の第１側片５１のうち他方（上方）の第１側片５１は、主片５０の長手方向の他端（上端）と一体に形成されており、その連結部位は湾曲している。
【００６０】
また、一対の第１側片５１の各々には、第１側片５１の厚さ方向（上下方向）に沿った向きに突出する突部５１１が一体に形成されている。突部５１１は、コネクタ１０１に他コネクタ１０２を接続した状態で、第１取付部２１の凹部２３２（後述する）に嵌まり込むように構成されている（図１４Ａ参照）。つまり、第１取付部２１の凹部２３２及び取付金具２Ａの突部５１１は、所定以上の力を加えることによりコネクタ１０１と他コネクタ１０２との接続状態を解除可能なロック機構を構成している。
【００６１】
第２側片５２は、ハウジング１Ａの短手方向（左右方向）に長い板状に形成されている。第２側片５２は、主片５０の短手方向（左右方向）の一端と一体に形成されており、その連結部位は湾曲している。また、第２側片５２には、第２側片５２の厚さ方向（左右方向）に沿った向きに突出する突部５２１が一体に形成されている。突部５２１は、コネクタ１０１に他コネクタ１０２を接続した状態で、第２取付部２２の凹部２３２（後述する）に嵌まり込むように構成されている（図１４Ｂ参照）。つまり、第２取付部２２の凹部２３２及び取付金具２Ａの突部５２１は、所定以上の力を加えることによりコネクタ１０１と他コネクタ１０２との接続状態を解除可能なロック機構を構成している。
【００６２】
コンタクト３Ａは、信号伝送用の端子である。また、電源端子４Ａは、電源と電気的に接続される端子である。コンタクト３Ａ及び電源端子４Ａは、いずれも帯状の金属板を折り曲げることにより形成されている。また、コンタクト３Ａには、金めっきが施されている。コンタクト３Ａは、図７、図８に示すように、接触片３５と、垂下片３６と、端子片３７とを有しており、これらを一体に形成して構成されている。接触片３５は、ハウジング１Ａの厚さ方向（前後方向）に長い板状に形成されている。接触片３５は、周壁１２Ａにおける嵌合凹部１４Ａとの対向面に配置されている。接触片３５は、嵌合凹部１４Ａにコネクタ１０１のコンタクト３が挿入された状態で、コネクタ１０１のコンタクト３と接触するように構成されている。
【００６３】
また、接触片３５には、嵌合凹部１４Ａから離れる向きに窪んだ窪み３５１が設けられている。窪み３５１は、コネクタ１０１のコンタクト３が嵌合凹部１４に挿入された状態で、コネクタ１０１のコンタクト３の一部が嵌まり込むように構成されている。つまり、コネクタ１０１のコンタクト３及び接触片３５の窪み３５１は、所定以上の力を加えることによりコネクタ１０１と他コネクタ１０２との接続状態を解除可能なロック機構を構成している。
【００６４】
垂下片３６は、ハウジング１Ａの厚さ方向（前後方向）に長い板状に形成されている。垂下片３６は、第１側壁１２１Ａの外側の面（上面又は下面）に沿って配置されている。垂下片３６の一端（前端）は、逆Ｕ字状に湾曲しており、接触片３５の第１端（前端）と一体に形成されている。また、垂下片３６には、垂下片３６の厚さ方向（上下方向）に沿って突出する突起３６１が一体に形成されている。突起３６１は、既に述べたように、コンタクト３の突起３２１に引っ掛かることでロック機構を構成する。
【００６５】
端子片３７は、ハウジング１Ａの短手方向（上下方向）に長い板状に形成されている。端子片３７の第１端は、接触片３５の第２端（後端）と一体に形成されている。また、端子片３７の第２端は、ハウジング１Ａの厚さ方向の一端側（後側）において、ハウジング１Ａから露出している。端子片３７の一面（後面）は、例えば半田付けにより基板に接合される接合面となる。
【００６６】
電源端子４Ａは、図１３Ａ、図１３Ｂに示すように、接触片４１と、垂下片４２と、端子片４３とを有しており、これらを一体に形成して構成されている。接触片４１、垂下片４２、及び端子片４３は、それぞれコンタクト３Ａの接触片３５、垂下片３６、及び端子片３７と同等の機能を有している。ただし、電源端子４Ａでは、垂下片４２は、突起３６１に相当する突起を有していない。また、電源端子４Ａでは、端子片４３の第１端（下端）は、接触片４１ではなく、垂下片４２の一端（後端）と一体に形成されている。
【００６７】
ここで、取付金具２Ａは、図１３Ａ、図１３Ｂに示すように、電源端子４Ａと一体に構成されている。具体的には、取付金具２Ａの一対の第１側片５１のうち一方（上方）の第１側片５１と、電源端子４Ａの垂下片４２とが、連結部５３を介して一体に形成されている。そして、コネクタ１０１に他コネクタ１０２を接続した状態において、取付金具２Ａは、取付金具２に接触する。言い換えれば、取付金具２は、複数のコンタクト３が複数のコンタクト３Ａに電気的に接続された状態で、取付金具２Ａに接触するようにハウジング１に取り付けられている。また、コネクタ１０１に他コネクタ１０２を接続した状態において、電源端子４Ａは、電源端子４に接触する。言い換えれば、電源端子４は、複数のコンタクト３が複数のコンタクト３Ａに電気的に接続された状態で、電源端子４Ａに接触するようにハウジング１に保持されている。
【００６８】
（３）取付金具
以下、本実施形態の取付金具２について図１Ａ〜図２Ｂを用いて詳細に説明する。以下の説明では、一対の取付金具２のうち、ハウジング１の一端（左端）に取り付けられる取付金具２を例として説明するが、ハウジング１の他端（右端）に取り付けられる取付金具２も同様の構成である。取付金具２は、例えば銅合金などの金属材料により形成されており、ハウジング１に取り付けられる取付部材２０として、２つの第１取付部２１と、１つの第２取付部２２とを有している。本実施形態では、第１取付部２１及び第２取付部２２は、同じ材料により形成されている。また、本実施形態では、第１取付部２１及び第２取付部２２は、同じ厚さで形成されている。以下では、２つの第１取付部２１を区別して説明する場合、２つの第１取付部２１のうち一方の第１取付部２１を「第１取付部２１Ａ」、他方の第１取付部２１を「第１取付部２１Ｂ」として説明する。
【００６９】
第１取付部２１Ａは、一対の第１側壁１２１のうち一方（下方）の第１側壁１２１の長手方向（左右方向）の一端部であって、複数のコンタクト３及び一対の電源端子４が配列されていない部位に取り付けられる。第１取付部２１Ｂは、一対の第１側壁１２１のうち一方（上方）の第１側壁１２１の長手方向の一端部であって、複数のコンタクト３及び一対の電源端子４が配列されていない部位に取り付けられる。つまり、第１取付部２１は、一対の第１側壁１２１のうち一方の第１側壁１２１における複数のコンタクト３が配列されていない部位の少なくとも一部を覆う。
【００７０】
第２取付部２２は、一対の第２側壁１２２のうち一方（左方）の第２側壁１２２に取り付けられる。つまり、第２取付部２２は、一対の第２側壁１２２のうち一方（左方）の第２側壁１２２の少なくとも一部を覆う。また、第２取付部２２は、第１取付部２１Ａ，２１Ｂのいずれとも一体に形成されていない。つまり、第２取付部２２は、２つの第１取付部２１のいずれとも分離している。
【００７１】
第１取付部２１及び第２取付部２２は、いずれも一対の保持片２３を有している。一対の保持片２３は、いずれもハウジング１の厚さ方向（前後方向）に長い板状に形成されている。第１取付部２１Ａにおいて、一対の保持片２３は、厚さ方向（上下方向）に対向しており、下方の第１側壁１２１の厚さ方向（上下方向）に沿って下方の第１側壁１２１を挟むように構成されている。第１取付部２１Ｂにおいて、一対の保持片２３は、厚さ方向（上下方向）に対向しており、上方の第１側壁１２１の厚さ方向に沿って上方の第１側壁１２１を挟むように構成されている。第２取付部２２において、一対の保持片２３は、厚さ方向（左右方向）に対向しており、左方の第２側壁１２２の厚さ方向（左右方向）に沿って左方の第２側壁１２２を挟むように構成されている。つまり、一対の保持片２３は、周壁１２の厚さ方向に沿って周壁１２を挟むように構成されている。
【００７２】
一対の保持片２３の長手方向の一端（前端）同士は、逆Ｕ字状に湾曲した連結片２４により連結されている。つまり、第１取付部２１及び第２取付部２２は、いずれも一対の保持片２３を連結する連結片２４を有している。連結片２４は、取付部材２０がハウジング１に取り付けられた状態で、第１側壁１２１の前端を跨ぐように構成されている。また、連結片２４は、取付部材２０がハウジング１に取り付けられた状態で、第２側壁１２２の前端を跨ぐように構成されている。
【００７３】
また、取付部材２０がハウジング１に取り付けられた状態で、連結片２４と第１側壁１２１の前端（又は第２側壁１２２の前端）との間には、隙間が形成される（図３参照）。つまり、第１取付部２１は、取付部材２０がハウジング１に取り付けられた状態で、連結片２４とハウジング１との間に隙間を形成する空隙部２６を有しているといえる。
【００７４】
連結片２４は、傾斜部２４１を有している。傾斜部２４１は、連結片２４の頂部から斜め後方に向かって傾斜している。言い換えれば、傾斜部２４１は、取付部材２０がハウジング１に取り付けられた状態で、一対の保持片２３のうち外側の保持片２３から内側の保持片２３に向かって底壁１１に近づくように、底壁１１に対して傾斜している。
【００７５】
第１取付部２１において、一対の保持片２３のうちの外側の保持片２３の後端部は、接合面２３１を有している。言い換えれば、第１取付部２１及び第２取付部２２の少なくとも一方における、一対の保持片２３の少なくとも一方の底壁１１側の端部は、接合面２３１を有する。接合面２３１は、複数のコンタクト３が基板に接合された状態で、例えば半田付けにより基板に接合される。また、外側の保持片２３の後端部の幅寸法（左右方向の寸法）は、外側の保持片２３のうちの後端部を除いた他の部位の幅寸法よりも小さくなっている。つまり、一対の保持片２３が並ぶ方向と交差する方向（ここでは、左右方向）における、底壁１１側の端部の幅寸法は、一対の保持片２３のうち底壁１１側の端部を除いた部位の幅寸法よりも小さい。
【００７６】
また、第１取付部２１において、一対の保持片２３のうちの外側の保持片２３は、延長片２７と一体に形成されている。延長片２７は、外側の保持片２３の左端縁から左向きに延長されており、ハウジング１の長手方向（左右方向）に長い板状に形成されている。つまり、第１取付部２１における一対の保持片２３の少なくとも一方は、配列方向に延長された延長片２７を有している。また、延長片２７の後端縁の左側には、底片２８が一体に形成されている。底片２８は、延長片２７の後端縁から湾曲し、かつ、底壁１１に沿ってハウジング１の内側に向かう向きに延長されている。つまり、第１取付部２１は、延長片２７と連結しており、底壁１１に沿って延長された底片２８を有している。
【００７７】
第１取付部２１において、底片２８の一端縁（左端縁）には、接合部２５が一体に形成されている。接合部２５は、底片２８の一端縁からハウジング１の長手方向（左右方向）に沿って突出しており、ハウジング１の外側に露出している。接合部２５は、複数のコンタクト３が基板に接合された状態で、基板に接合される。また、第２取付部２２も、第１取付部２１と同様に、接合部２５を有している。第２取付部２２では、接合部２５は、外側の保持片２３の後端縁から湾曲し、かつ、底壁１１に沿ってハウジング１の外側に露出するように延長されている。つまり、第１取付部２１及び第２取付部２２は、基板に接合される接合部２５を有している。そして、接合部２５は、配列方向に沿って周壁１２から突出している。
【００７８】
そして、第２取付部２２において、接合部２５の幅寸法（上下方向の寸法）は、外側の保持片２３のうちの接合部２５を除いた他の部位の幅寸法よりも小さくなっている。つまり、配列方向と交差する方向（ここでは、上下方向）における、接合部２５の幅寸法は、第２取付部２２のうち接合部２５を除いた部位の幅寸法よりも小さい。
【００７９】
底片２８には、テーパ２８１が設けられている。テーパ２８１は、底片２８のうち延長片２７及び接合部２５と連結されていない角部を三角形状に切り欠くようにして設けられている。つまり、底片２８は、延長片２７と接合部２５とを連結している。そして、底片２８のうち延長片２７及び接合部２５と連結されている部位以外の部位には、テーパ２８１が設けられている。
【００８０】
ここで、一対の保持片２３のうちの内側の保持片２３には、嵌合凹部１４から離れる向きに窪んだ凹部２３２が設けられている。第１取付部２１の凹部２３２は、既に述べたように、取付金具２Ａの突部５１１が嵌まり込むことでロック機構を構成する。また、第２取付部２２の凹部２３２は、既に述べたように、取付金具２Ａの突部５２１が嵌まり込むことでロック機構を構成する。
【００８１】
（４）効果
以下、本実施形態の取付金具２の効果について、比較例の取付金具との対比を交えて説明する。比較例の取付金具は、本実施形態の取付金具２と同様に、２つの第１取付部と、１つの第２取付部とを有している。一方、比較例の取付金具では、２つの第１取付部と、１つの取付部とが一体に形成されている。つまり、比較例の取付金具では、２つの第１取付部と、１つの第２取付部とは分離していない。
【００８２】
ここで、コネクタを他コネクタに接続するとき、互いにずれた状態で接続した場合、又は接続した後に外部からコネクタ又は他コネクタに応力が加わった場合、取付金具にも応力が加わることがある。具体的には、第１取付部は、配列方向（左右方向）に沿った向きの応力を受けることがある。また、第２取付部は、配列方向と交差する方向（上下方向）に沿った向きの応力を受けることがある。取付金具に応力が加わると、取付金具が塑性変形する場合があり、取付金具の塑性変形によりハウジングにも応力が加わる可能性がある。このとき、ハウジングが例えば樹脂で形成されていれば、応力が加わることにより変形する可能性が生じる。
【００８３】
比較例の取付金具を有するコネクタでは、仮に第１取付部及び第２取付部の一方に応力が加わった場合、他方にも応力が伝わることで、第１取付部及び第２取付部の両方が塑性変形する可能性がある。これは、第１取付部及び第２取付部が一体に形成されているからである。この場合、ハウジングが応力を受け易くなることで、結果としてハウジングの強度が低下する可能性がある。
【００８４】
一方、本実施形態の取付金具２では、第１取付部２１と第２取付部２２とが分離している。このため、本実施形態では、仮に第１取付部２１及び第２取付部２２の一方に応力が加わった場合でも、他方に応力が伝わり難い。つまり、本実施形態の取付金具２では、第１取付部２１及び第２取付部２２の一方に応力が加わった場合に、一方の取付部が塑性変形するに留まり、他方の取付部が塑性変形し難い。このため、本実施形態の取付金具２では、比較例の取付金具と比較して、取付金具２が塑性変形し難く、ハウジング１が応力を受け難くなることで、結果としてハウジング１の強度を向上することができる。
【００８５】
また、本実施形態の取付金具２では、取付金具２をインサート品としてハウジング１をインサート成形する場合、比較例の取付金具と比較して寸法を調整し易いという利点がある。具体的には、取付金具２をインサート成形用の金型に挿入する際に、金型に挿入できるように第１取付部２１及び第２取付部２２の一方の寸法を調整しなければならない場合がある。この場合、比較例の取付金具では、第１取付部及び第２取付部が一体に形成されているため、第１取付部及び第２取付部の一方の寸法を調整すべく変形すると、変形による応力が他方にも伝わり、他方も変形する可能性がある。このため、比較例の取付金具では、寸法の調整を行い難い。
【００８６】
一方、本実施形態の取付金具２では、第１取付部２１と第２取付部２２とが分離しているため、第１取付部２１及び第２取付部２２の一方の寸法を調整すべく変形しても、変形による応力が他方に伝わり難く、他方は変形し難い。このため、本実施形態の取付金具２は、比較例の取付金具と比較して、寸法の調整を行い易い。
【００８７】
つまり、本実施形態の取付金具２を用いたコネクタ１０１は、比較例の取付金具を用いたコネクタと比較して、安定的に生産することが可能であり、結果として生産性を向上することができる。
【００８８】
（５）変形例
ところで、本実施形態のように、第１取付部２１及び第２取付部２２は、例えば銅合金などの同一の材料により形成されているのが好ましい。また、本実施形態のように、第１取付部２１及び第２取付部２２は、同じ厚さで形成されているのが好ましい。上記いずれの構成でも、第１取付部２１及び第２取付部２２の線膨張係数を略等しくすることができる。また、上記いずれの構成でも、リフロー方式の半田付けを行う工程において、第１取付部２１及び第２取付部２２に伝わる熱の均一化を図ることができる。したがって、上記いずれの構成でも、リフロー方式の半田付けを行う工程において、取付金具２の反りといった変形が生じ難くなる。
【００８９】
更に、第１取付部２１及び第２取付部２２を同一の材料で形成する場合は、同一のキャリアから第１取付部２１及び第２取付部２２を生産することが可能になるので、材料費及び部品点数の削減を図ることができる。
【００９０】
もちろん、第１取付部２１及び第２取付部２２は、互いに異なる材料により形成されていてもよい。また、第１取付部２１及び第２取付部２２は、互いに異なる厚さで形成されていてもよい。
【００９１】
また、本実施形態では、連結片２４は、逆Ｕ字状に湾曲して形成されているが、連結片２４の形状を限定する趣旨ではない。例えば、連結片２４は、後端側が開放されたコ字状に形成されていてもよい。
【００９２】
また、本実施形態の取付金具２は、２つの第１取付部２１と、１つの第２取付部２２とで構成されているが、これに限定する趣旨ではない。例えば、取付金具２は、１つの第１取付部２１と、１つの第２取付部２２とで構成されていてもよい。その他、取付金具２は、２つの第１取付部２１のうち一方の第１取付部２１だけが第２取付部２２と分離しており、他方の第１取付部２１は第２取付部２２と一体に形成されていてもよい。
【００９３】
また、本実施形態の取付金具２及び他コネクタ側取付金具２Ａは、それぞれ凹部２３２及び突部５１１，５２１を有しているが、これに限定する趣旨ではない。つまり、取付金具２及び他コネクタ側取付金具２Ａは、それぞれ凹部２３２及び突部５１１，５２１を有していなくてもよい。言い換えれば、接続装置１００は、ロック機構を有していなくてもよい。接続装置１００がロック機構を有している場合、コネクタ１０１と他コネクタ１０２との接続強度を向上することができる。
【００９４】
また、本実施形態では、コネクタ１０１はソケットであるが、これに限定する趣旨ではない。例えば、コネクタ１０１は、ヘッダであってもよい。つまり、取付金具２が取り付けられるコネクタ１０１は、ソケット及びヘッダのうち、互いに接続したときに周壁１２（又は周壁１２Ａ）が外側に位置するコネクタであるのが好ましい。この場合、周壁１２は、コネクタ１０１のうち最も外側にある壁であることから、他コネクタ１０２がコネクタ１０１に対する正規な位置からずれることによる内側から外側へ向かう力を受け易いからである。また、この場合、周壁１２は、他の基板や治具などのコネクタ１０１及び他コネクタ１０２とは異なる第三者が接触することによる外側から内側へ向かう力も受け易いからである。
【００９５】
以上述べたように、第１の態様の取付金具２は、コネクタ１０１のハウジング１に取り付けられる取付部材２０を備える。ハウジング１は、底壁１１と、底壁１１の周囲を囲む周壁１２とを有する。周壁１２は、一対の第１側壁１２１と、一対の第２側壁１２２とで構成される。一対の第１側壁１２１は、それぞれ複数のコンタクト３を配列方向に並んだ状態で保持する。一対の第２側壁１２２は、それぞれ一対の第１側壁１２１の端部同士を連結する。取付部材２０は、第１取付部２１と、第２取付部２２とを有する。第１取付部２１は、一対の第１側壁１２１のうち一方の第１側壁１２１における複数のコンタクト３が配列されていない部位の少なくとも一部を覆う。第２取付部２２は、第１取付部２１と分離しており、一対の第２側壁１２２のうち少なくとも一方の第２側壁１２２の少なくとも一部を覆う。
【００９６】
この構成によると、仮に第１取付部２１及び第２取付部２２の一方に応力が加わった場合でも、他方に応力が伝わり難いことから、取付金具２が塑性変形し難く、ハウジング１が応力を受け難くなることで、ハウジング１の強度の向上を図ることができる。
【００９７】
また、第２の態様の取付金具２では、第１の態様において、第１取付部２１及び第２取付部２２の少なくとも一方は、基板に接合される接合部２５を更に有する。
【００９８】
この構成によると、取付金具２を基板に接合する際に、半田付けにより接合部２５を基板に接合することができる。このため、この構成では、接合部２５を有さない場合と比較して、取付金具２の強度を向上することができ、結果としてハウジング１の強度を更に向上することができる。本実施形態では、第１取付部２１及び第２取付部２２の各々が接合部２５を有しているが、第１取付部２１及び第２取付部２２のいずれか一方だけが接合部２５を有していてもよい。また、第１取付部２１及び第２取付部２２は、いずれも接合部２５を有していなくてもよい。
【００９９】
また、第３の態様の取付金具２では、第２の態様において、第２取付部２２は、接合部２５を有している。配列方向と交差する方向において、接合部２５の幅寸法は、第２取付部２２のうち接合部２５を除いた部位の幅寸法よりも小さい。
【０１００】
この構成によると、接合部２５に半田が留まり易くなる。このため、この構成では、半田付けにより取付金具２を基板に接合するときに、他の接合部２５との間にブリッジが生じ難い。
【０１０１】
また、この構成によると、半田付けにより取付金具２を基板に接合するときのセルフアライメントの効果を向上することができる。つまり、半田が溶融したときに、半田が表面張力で引っ張られることにより、基板上の導体に対して接合部２５がずれた状態で配置されていても、導体の先端に接合部２５が寄るため、実装精度を向上することができる。ただし、この構成は必須ではなく、接合部２５の幅寸法は、第２取付部２２のうち接合部２５を除いた部位の幅寸法と等しくてもよい。
【０１０２】
また、第４の態様の取付金具２では、第２又は第３の態様において、接合部２５は、配列方向に沿って周壁１２から突出する。
【０１０３】
この構成によると、接合部２５を基板に実装するときのセルフアライメントの効果を向上することができる。ここで、半田付けにより複数のコンタクト３を基板に実装するときに、セルフアライメントの効果は、コンタクト３の配列方向（左右方向）では十分に得られるが、コンタクト３の突出方向（上下方向）では得られ難い。つまり、コネクタ１０１の短手方向（上下方向）においては、コンタクト３を基板に半田付けすることによるセルフアライメントの効果が得られ難い。
【０１０４】
そこで、この構成では、接合部２５をコンタクト３の配列方向に沿って突出することにより、接合部２５を基板に実装するときのセルフアライメントの効果を大きくしている。つまり、この構成では、半田付けにより接合部２５を基板に実装するときに、接合部２５の配列方向（上下方向）、つまりコネクタ１０１の短手方向におけるセルフアライメントの効果を向上することができる。
【０１０５】
また、この構成によると、第１取付部２１及び第２取付部２２の両方が接合部２５を有している場合、接合部２５の先端が揃い易いので、接合部２５を纏めて１回の工程でキャリアから切断することができる。このため、この構成では、取付金具２の生産工程の単純化を図ることができるので、寸法公差の小さい取付金具２を安定的に生産可能であり、生産性を向上することができる。ただし、この構成は必須ではなく、接合部２５は配列方向に沿って周壁１２から突出していなくてもよい。
【０１０６】
また、第５の態様の取付金具２では、第１〜第４のいずれかの態様において、第１取付部２１及び第２取付部２２の少なくとも一方は、一対の保持片２３と、連結片２４とを有する。一対の保持片２３は、周壁１２の厚さ方向に沿って周壁１２を挟む。連結片２４は、一対の保持片２３の端部同士を連結する。
【０１０７】
この構成によると、例えば第１取付部２１が一対の保持片２３及び連結片２４を有していれば、第１取付部２１は、前方、右方、左方の少なくとも３方向からの応力を受けることができる。また、例えば第２取付部２２が一対の保持片２３及び連結片２４を有していれば、第２取付部２２は、前方、上方、下方の少なくとも３方向からの応力を受けることができる。このため、この構成では、取付金具２が応力を受け易くなり、ハウジング１が応力を受け難くなるため、ハウジング１の強度を更に向上することができる。ただし、この構成は必須ではなく、第１取付部２１及び第２取付部２２は、いずれも１方向又は２方向からの応力を受ける構成であってもよい。
【０１０８】
また、第６の態様の取付金具２では、第５の態様において、第１取付部２１及び第２取付部２２の少なくとも一方は、空隙部２６を有する。空隙部２６は、取付部材２０がハウジング１に取り付けられた状態で連結片２４とハウジング１との間に隙間を形成する。
【０１０９】
この構成によると、取付金具２（特に、連結片２４）が弾性変形する余裕があることから、取付金具２が塑性変形し難くなる。このため、この構成では、取付金具２が応力を受け易くなり、ハウジング１が応力を受け難くなるため、ハウジング１の強度を更に向上することができる。ただし、この構成は必須ではなく、第１取付部２１及び第２取付部２２は、いずれも空隙部２６を有していなくてもよい。空隙部２６は、圧入により取付金具２をハウジング１に取り付ける場合に形成し易い。
【０１１０】
また、第７の態様の取付金具２では、第５又は第６の態様において、連結片２４は、傾斜部２４１を有する。傾斜部２４１は、一対の保持片２３のうち外側の保持片２３から内側の保持片２３に向かって底壁１１に近づくように、底壁１１に対して傾斜する。
【０１１１】
この構成によると、コネクタ１０１に他コネクタ１０２を接続するときに、コネクタ１０１に対して他コネクタ１０２が多少ずれた状態であっても、傾斜部２４１により他コネクタ１０２が案内される。したがって、この構成では、コネクタ１０１に他コネクタ１０２を接続し易い。ただし、この構成は必須ではなく、連結片２４は傾斜部２４１を有していなくてもよい。
【０１１２】
また、第８の態様の取付金具２では、第５〜第７のいずれかの態様において、第１取付部２１における一対の保持片２３の少なくとも一方は、配列方向に延長された延長片２７を有する。
【０１１３】
この構成によると、延長片２７を有する保持片２３が応力を受けた場合に、保持片２３だけでなく延長片２７でも応力を受けることができるので、保持片２３の強度を向上することができる。このため、この構成では、取付金具２が塑性変形し難くなることから、ハウジング１に応力が加わり難くなり、ハウジング１の強度を更に向上することができる。ただし、この構成は必須ではなく、第１取付部２１における一対の保持片２３は、いずれも延長片２７を有していなくてもよい。
【０１１４】
また、第９の態様の取付金具２は、第８の態様において、底片２８を更に有する。底片２８は、延長片２７と連結しており、底壁１１に沿って延長されている。
【０１１５】
この構成によると、取付金具２は、一対の保持片２３及び連結片２４によって３方向からの応力を受けることができるだけでなく、更に底片２８によって４方向からの応力を受けることができる。このため、この構成では、取付金具２が応力を受け易くなり、ハウジング１に応力が加わり難くなるため、ハウジング１の強度を更に向上することができる。ただし、この構成は必須ではなく、取付金具２は底片２８を有していなくてもよい。
【０１１６】
また、第１０の態様の取付金具２では、第９の態様において、第１取付部２１は、基板に接合される接合部２５を更に有する。底片２８は、延長片２７と接合部２５とを連結している。底片２８のうち延長片２７及び接合部２５と連結されている部位以外の部位には、テーパ２８１が設けられている。
【０１１７】
この構成によると、半田付けにより接合部２５を基板に接合するときに、半田が接合部２５から底片２８へと流れ難くなり、接合部２５に半田を留め易い。このため、この構成では、接合部２５の実装精度を向上することができる。ただし、この構成は必須ではなく、底片２８にはテーパ２８１が設けられていなくてもよい。
【０１１８】
また、第１１の態様の取付金具２では、第５〜第９のいずれかの態様において、一対の保持片２３の少なくとも一方は、複数のコンタクト３が基板に接合された状態で、少なくとも連結片２４の弾性変形時に基板に接するように構成されている。
【０１１９】
この構成によると、取付金具２が基板に向かう向き（後向き）の応力を受けた場合、一対の保持片２３が基板に接することにより、基板でも応力を受けることが可能になる。このため、この構成では、取付金具２が塑性変形し難くなり、ハウジング１に応力が加わり難くなるので、ハウジング１の強度を更に向上することができる。ただし、この構成は必須ではなく、連結片２４の弾性変形時に一対の保持片２３が基板に接しなくてもよい。
【０１２０】
また、第１２の態様の取付金具２では、第５〜第１１のいずれかの態様において、第１取付部２１及び第２取付部２２の少なくとも一方における、一対の保持片２３の少なくとも一方の底壁１１側の端部は、接合面２３１を有する。接合面２３１は、複数のコンタクト３が基板に接合された状態で基板に接合される。
【０１２１】
この構成によると、一対の保持片２３を基板に接合することができるので、一対の保持片２３に加わる応力を基板に伝えることで、基板でも応力を受けることが可能になるので、一対の保持片２３の強度を向上することができる。ただし、この構成は必須ではなく、第１取付部２１の一対の保持片２３及び第２取付部２２の一対の保持片２３は、いずれも接合面２３１を有していなくてもよい。
【０１２２】
また、第１３の態様の取付金具２では、第１２の態様において、第２取付部２２の一対の保持片２３の少なくとも一方の底壁１１側の端部は、接合面２３１を有している。第２取付部２２では、一対の保持片２３が並ぶ方向と交差する方向における、底壁１１側の端部の幅寸法は、一対の保持片２３のうち底壁１１側の端部を除いた部位の幅寸法よりも小さい。
【０１２３】
この構成によると、接合面２３１に半田が留まり易くなるので、隣接するコンタクト３との間でブリッジが生じ難い。また、この構成では、保持片２３の底壁１１側の端部と、隣接するコンタクト３との間の絶縁距離を確保し易くなる。ただし、この構成は必須ではなく、底壁１１側の端部の幅寸法は、保持片２３のうち底壁１１側の端部を除いた部位の幅寸法と等しくてもよい。
【０１２４】
また、第１４の態様のコネクタ１０１は、第１〜第１３のいずれかの態様の取付金具２と、取付金具２が取り付けられるハウジング１と、一対の第１側壁１２１の各々に保持される複数のコンタクト３とを備える。
【０１２５】
この構成によると、ハウジング１の強度の向上を図ることのできるコネクタ１０１を実現することができる。
【０１２６】
また、第１５の態様のコネクタ１０１は、第１４の態様において、電源端子４を更に有する。電源端子４は、配列方向において複数のコンタクト３と並ぶようにハウジング１に保持され、電源と電気的に接続される。電源端子４は、第１取付部２１、電源端子４、複数のコンタクト３の順に並ぶようにハウジング１に保持されている。
【０１２７】
この構成によると、取付金具２によるハウジング１の強度を向上する効果を受け易い位置に電源端子４が配置されるため、電源端子４に応力が加わり難く、電源端子４の基板上の導体との接触信頼性を向上することができる。ただし、この構成は必須ではなく、電源端子４は、第１取付部２１と複数のコンタクト３との間に配置されていなくてもよい。
【０１２８】
また、第１６の態様のコネクタ１０１では、第１５の態様において、複数のコンタクト３は、電源端子４を２つ含んでいる。２つの電源端子４は、平面視でハウジング１の中心に対して点対称となるようにハウジング１に保持されている。
【０１２９】
この構成によると、２つの電源端子４を片側（上側又は下側）に寄せた場合と比較して、取付金具２が受ける応力が偏り難い。ただし、この構成は必須ではなく、２つの電源端子４は、平面視でハウジング１の中心に対して点対称に配置されていなくてもよい。
【０１３０】
また、第１７の態様のコネクタ１０１では、第１５又は第１６の態様において、配列方向から見て、電源端子４の断面は、複数のコンタクト３の各々の断面と同一である。
【０１３１】
この構成によると、コネクタ１０１が固定されている状態で他コネクタ１０２をコネクタ１０１に接続するときに、他コネクタ１０２が電源端子４及びコンタクト３に略同時に接触し始めるので、他コネクタ１０２の水平バランス（前後方向のバランス）が崩れ難い。このため、この構成では、他コネクタ１０２をコネクタ１０１に接続し易く、また、他コネクタ１０２がコネクタ１０１から外れ難い。ただし、この構成は必須ではなく、電源端子４の断面は、複数のコンタクト３の各々の断面とは異なる形状であってもよい。
【０１３２】
また、第１８の態様のコネクタ１０１では、第１５〜第１７のいずれかの態様において、複数のコンタクト３は、他コネクタ１０２の有する複数の他コネクタ側コンタクト３Ａに電気的に接続されるように構成されている。他コネクタ１０２は、他コネクタ側ハウジング１Ａと、他コネクタ側電源端子４Ａと、他コネクタ側取付金具２Ａとを備える。他コネクタ側電源端子４Ａは、他コネクタ側ハウジング１Ａに保持されて電源端子４に電気的に接続される。他コネクタ側取付金具２Ａは、他コネクタ側電源端子４Ａと一体に構成され、他コネクタ側ハウジング１Ａに取り付けられる。取付金具２は、複数のコンタクト３が複数の他コネクタ側コンタクト３Ａに電気的に接続された状態で、他コネクタ側取付金具２Ａに接触するようにハウジング１に取り付けられる。電源端子４は、複数のコンタクト３が複数の他コネクタ側コンタクト３Ａに電気的に接続された状態で、他コネクタ側電源端子４Ａに接触するようにハウジング１に保持される。
【０１３３】
この構成によると、電源端子４と他コネクタ側電源端子４Ａとの接触信頼性を確保しつつ、他コネクタ側取付金具２Ａと電気的に接続されることにより、電源端子４の導体抵抗を小さくすることができる。また、この構成では、取付金具２が他コネクタ側取付金具２Ａと接触することにより、取付金具２の放熱効果を向上することができる。ただし、この構成は必須ではなく、他コネクタ側取付金具２Ａと他コネクタ側電源端子４Ａとが一体に構成されていなくてもよい。
【０１３４】
また、第１９の態様のコネクタ１０１では、第１４〜第１８のいずれかの態様において、ハウジング１は、取付金具２をインサート品としてインサート成形されている。
【０１３５】
この構成によると、圧入により取付金具２をハウジング１に取り付ける場合と比較して、取付金具２が応力を受け易くなり、ハウジング１の強度を更に向上することができる。ただし、この構成は必須ではなく、取付金具２は、圧入によりハウジング１に取り付けられてもよい。
【０１３６】
また、第２０の態様の接続装置１００は、第１４〜第１９のいずれかの態様のコネクタ１０１と、他コネクタ１０２とを備える。他コネクタ１０２は、複数のコンタクト３に電気的に接続される複数の他コネクタ側コンタクト３Ａを有する。
【０１３７】
この構成によると、ハウジング１の強度の向上を図ることのできる接続装置１００を実現することができる。
【０１３８】
以上、実施形態に係る取付金具２、コネクタ１０１、及び接続装置１００について説明した。ただし、以上に説明した実施形態は、本発明の様々な実施形態の一つに過ぎない。上記の実施形態は、本発明の目的を達成できれば、設計等に応じて種々の変更が可能である。
【符号の説明】
【０１３９】
１  ハウジング
１１  底壁
１２  周壁
１２１  第１側壁
１２２  第２側壁
１Ａ  他コネクタ側ハウジング
２  取付金具
２０  取付部材
２１  第１取付部
２２  第２取付部
２３  保持片
２４  連結片
２４１  傾斜部
２５  接合部
２６  空隙部
２７  延長片
２８  底片
２８１  テーパ
２Ａ  他コネクタ側取付金具
３  コンタクト
３Ａ  他コネクタ側コンタクト
４  電源端子
４Ａ  他コネクタ側電源端子
１００  接続装置
１０１  コネクタ
１０２  他コネクタ
【図１】
2018107047.tif 000003
【図２】
2018107047.tif 000004
【図３】
2018107047.tif 000005
【図４】
2018107047.tif 000006
【図５】
2018107047.tif 000007
【図６】
2018107047.tif 000008
【図７】
2018107047.tif 000009
【図８】
2018107047.tif 000010
【図９】
2018107047.tif 000011
【図１０】
2018107047.tif 000012
【図１１】
2018107047.tif 000013
【図１２】
2018107047.tif 000014
【図１３】
2018107047.tif 000015
【図１４】
2018107047.tif 000016